(57)【要約】【課題】通信品質の改善により当該移動無線端末装置宛ての無線信号の送信電力レベルを下げてよい状況になった場合には、迅速に適正な送信電力レベルまで下げることが可能な移動無線端末装置を提供する。【解決手段】第１基準値生成回路８１ａは、第２の受信品質測定回路７０の測定結果に基づいて基準値Ｒ１を生成し、第２基準値生成回路８２ａは、基準値Ｒ１の最大値より低い値に予め設定された基準値Ｒ２を生成する。選択回路８３は、ソフトハンドオフを実施する必要が生じていない場合には、基準値Ｒ１を出力し、一方、ソフトハンドオフを実施する必要が生じた場合には、基準値Ｒ２を出力する。比較回路１００は、選択回路８３から出力される基準値に基づいて、第１の受信品質測定回路９０ａの測定結果の分布を判定し、この判定結果に応じて、送信電力制御情報を生成するようにしたものである。【選択図】　　図１
2004088692.tif 000002
【特許請求の範囲】
【請求項１】
ＣＤＭＡ方式の移動通信システムで用いられ、基地局の送信電力を制御するための制御情報を送信する移動無線端末装置において、
復号前の受信信号から第１の受信品質を検出する第１の受信品質検出手段と、
復号によって得た受信データから第２の受信品質を検出する第２の受信品質検出手段と、
この第２の受信品質検出手段が求めた第２の受信品質に基づき、所定の範囲内で基準値を決定するものであって、ハンドオフを実施する必要が生じた場合には、前記基準値を前記範囲内の最大値よりも予め小さく設定された既定値に決定する基準値決定手段と、
この基準値決定手段が決定した基準値と、前記第１の受信品質検出手段が求めた第１の受信品質と比較し、前記第１の受信品質が前記基準値より大きい場合には、送信電力を下げるように求める制御情報を生成し、一方、前記第１の受信品質が前記基準値より小さい場合には、送信電力を上げるように求める制御情報を生成する制御情報生成手段とを具備することを特徴とする移動無線端末装置。
【請求項２】
前記基準値決定手段は、前記ハンドオフが完了した場合には、前記基準値を再び前記第２の受信品質検出手段が求めた第２の受信品質に基づいて決定することを特徴とする請求項１に記載の移動無線端末装置。
【請求項３】
ＣＤＭＡ方式の移動通信システムで用いられ、基地局の送信電力を制御するための制御情報を送信する移動無線端末装置において、
復号前の受信信号から第１の受信品質を検出する第１の受信品質検出手段と、
復号によって得た受信データから第２の受信品質を検出する第２の受信品質検出手段と、
この第２の受信品質検出手段が求めた第２の受信品質に基づいて基準値を決定するものであって、ハンドオフを実施する必要が生じた場合には、前記第１の受信品質検出手段が求めた第１の受信品質に基づいて基準値を決定する基準値決定手段と、
この基準値決定手段が決定した基準値と、前記第１の受信品質検出手段が求めた第１の受信品質と比較し、前記第１の受信品質が前記基準値より大きい場合には、送信電力を下げるように求める制御情報を生成し、一方、前記第１の受信品質が前記基準値より小さい場合には、送信電力を上げるように求める制御情報を生成する制御情報生成手段とを具備することを特徴とする移動無線端末装置。
【請求項４】
さらに、前記第１の受信品質検出手段が求めた第１の受信品質が予め設定したレベル以上に改善された場合には、前記基準値を再び前記第２の受信品質検出手段が求めた第２の受信品質に基づいて決定することを特徴とする請求項３に記載の移動無線端末装置。
【請求項５】
ＣＤＭＡ方式の移動通信システムで用いられ、基地局の送信電力を制御するための制御情報を送信する移動無線端末装置において、
復号前の受信信号から第１の受信品質を検出する第１の受信品質検出手段と、
復号によって得た受信データから第２の受信品質を検出する第２の受信品質検出手段と、
この第２の受信品質検出手段が求めた第２の受信品質に基づいて、所定の制御幅を単位として段階的な基準値を決定する基準値決定手段と、
ハンドオフを実施する必要が生じたか否かに応じて、前記制御幅を可変する制御幅可変手段と、
この基準値決定手段が決定した基準値と、前記第１の受信品質検出手段が求めた第１の受信品質との比較結果に応じて、前記制御情報を生成する制御情報生成手段とを具備することを特徴とする移動無線端末装置。
【請求項６】
前記第１の受信品質検出手段は、受信信号のＳＩＲ（Ｓｉｇｎａｌｔｏ　Ｉｎｔｅｒｆｅｒｅｎｃｅ　ｎｏｉｓｅ　Ｒａｔｉｏ）を検出することを特徴とする請求項１乃至請求項５のいずれかに記載の移動無線端末装置。
【請求項７】
前記第２の受信品質検出手段は、受信データの誤り率を検出することを特徴とする請求項１乃至請求項５のいずれかに記載の移動無線端末装置。
【発明の詳細な説明】
【０００１】
【発明の属する技術分野】
この発明は、ＣＤＭＡ（Ｃｏｄｅ　Ｄｉｖｉｓｉｏｎ　Ｍｕｌｔｉｐｌｅ　Ａｃｃｅｓｓ）方式の移動通信システムで用いられ、基地局の送信電力を制御する移動無線端末装置に関する。
【０００２】
【従来の技術】
近年、マルチメディアヘの親和性、伝送速度の高速化および大容量化に対する需要の拡大に伴い、次世代移動通信システムの規格として、ＣＤＭＡ方式が採用されている。
【０００３】
このＣＤＭＡ方式を採用する移動無線通信システムを実現するにあたり、必要な要素技術の１つとして、ＲＡＫＥ受信がある。これは符号系列の直交性を利用して、ベースバンドの受信信号に含まれるマルチパス成分を分離・合成する技術である。
【０００４】
このＲＡＫＥ受信を行う移動無線端末装置においては、定期的に周辺セルからのマルチパスの品質を測定してマルチパスの情報を取得し、この情報に基づいて適当なパスを選択してＲＡＫＥ受信回路に割り当てることで、所定の品質を満足するようにしている。
【０００５】
一方、ＣＤＭＡ方式を採用する移動通信システムにおいては、複数の移動無線端末装置が大容量の通信を行うために、送信電力制御（ＴＰＣ：Ｔｒａｎｓｍｉｔ　Ｐｏｗｅｒ
Ｃｏｎｔｒｏｌ）技術が必要となる。
【０００６】
特に、近年実用化されつつあるＷ−ＣＤＭＡ方式においては、下りリンクと上りリンクの両方にＳＩＲ（Ｓｉｇｎａｌ　ｔｏ　Ｉｎｔｅｒｆｅｒｅｎｃｅ　ｎｏｉｓｅ　Ｒａｔｉｏ）測定に基づくＴＰＣを実施することになっている。
【０００７】
以下、従来の移動無線端末装置における送信電力制御について説明する。
図１２は、従来の移動無線端末装置の受信系の構成を示すものである。
移動通信システムのネットワークに収容される無線基地局から送信された無線信号は、アンテナを通じて図示しない周波数変換回路に入力され、ここで適切な帯域に制限されたベースバンド信号に変換された後、サーチャ１０およびフィンガ４１〜４ｎに入力される。
【０００８】
サーチャ１０は、種々のタイミングで生成した種々の拡散符号系列の拡散符号で上記ベースバンド信号を逆拡散して、上記ベースバンド信号と上記拡散符号との間の相関を求め、これより受信に適したパスを複数検出する。そして、この検出した複数のパスの情報（以下、パス情報と称する）を制御部２０に通知する。
【０００９】
制御部２０は、当該移動無線端末装置の各部を統括して制御するもので、各部を制御することにより、上記無線基地局装置との間に通信リンクを確立し、無線通信を実現する。
【００１０】
そして、上記無線通信を実現するために、制御部２０は、サーチャ１０から通知されたパス情報に基づいて、拡散符号生成器３０を制御する。
この制御により拡散符号生成器３０は、制御部２０より指示されるタイミングで、制御部２０により指示される拡散符号系列の拡散符号を生成する。
そして、拡散符号生成器３０は、生成した拡散符号を、制御部２０から指示されるフィンガ４１〜４ｎに出力する。
【００１１】
フィンガ４１〜４ｎは、互いに同じ構成からなり、同様の動作をするため、ここではフィンガ４１を例に挙げて説明する。
フィンガ４１は、相関器４１１と、遅延器（Ｄｅｌａｙ）４１２と、伝送路推定回路４１３と、複素乗算器４１４とを備える。
【００１２】
相関器４１１は、ベースバンド信号を、拡散符号生成器３０から入力される拡散符号を用いて逆拡散し、得られた信号を逆拡散信号として遅延器４１２および伝送路推定回路４１３に出力する。
遅延器４１２は、相関器４１１から入力される逆拡散信号を一定時間遅延させて、複素乗算器４１４に出力する。
【００１３】
伝送路推定回路４１３は、相関器４１１から入力される逆拡散信号について伝送路推定を行って、フェージング変動に起因する受信信号中の位相変動と振幅変動を推定し、この推定結果を複素乗算器４１４に出力する。
【００１４】
複素乗算器４１４は、遅延器４１２にて遅延した逆拡散信号に、伝送路推定回路４１３の推定結果を複素乗算して、フェージング変動に起因する位相変動と振幅変動を補正し、出力する。
このようにして、フィンガ４１〜４ｎより出力される逆拡散信号は、合成部５０および第１の受信品質測定回路９０に出力される。
【００１５】
合成部５０は、フィンガ４１〜４ｎから出力される逆拡散信号をＲＡＫＥ合成するもので、合成した信号を復号部６０に出力する。なお、逆拡散信号を合成するタイミングは、制御部２０から指示される。
【００１６】
復号部６０は、合成部５０にてＲＡＫＥ合成された逆拡散信号を同期検波し、デ・インタリーブを行い、ターボ復号およびビタビ復号などの復号処理を実施して受信データを得るとともに、この受信データについてＣＲＣチェックを行う。
【００１７】
上記復号処理によって得られた受信データは、後段のデータ処理部（図示しない）に出力され、ＣＲＣチェックの結果は、第２の受信品質測定回路７０に出力される。
【００１８】
第２の受信品質測定回路７０は、復号部６０にて得られたＣＲＣチェックの結果に基づいて、受信データの誤り率から受信品質を測定する。この測定結果は、基準値生成部８０に出力される。
【００１９】
基準値生成部８０は、第２の受信品質測定回路７０の測定結果に基づいて、送信電力制御用基準値Ｒを決定する。この送信電力制御用基準値Ｒは、比較回路１００に通知される。
【００２０】
第１の受信品質測定回路９０は、フィンガ４１〜４ｎから出力される逆拡散信号、各々についてＳＩＲを測定し、これらの測定結果を比較回路１００に出力する。
【００２１】
比較回路１００は、図２に示すように、基準値生成部８０にて決定した送信電力制御用基準値Ｒに対する、第１の受信品質測定回路９０の測定結果の分布を判定し、この判定結果に応じて、送信電力制御情報を生成する。
【００２２】
なお、ここで比較回路１００は、第１の受信品質測定回路９０の測定結果が、例えば図３に示すように、送信電力制御用基準値Ｒに対して、小さい値として分布するものが多い場合には、基地局側送信電力の増大させるための送信電力制御情報を生成し、反対に、図４に示すように、送信電力制御用基準値Ｒに対して、大きい値として分布するものが多い場合には、無線基地局側の送信電力の減少させるための送信電力制御情報を生成する。
【００２３】
下りＴＰＣ情報生成部１１０は、比較回路１００にて生成された送信電力制御情報に基づいて、ＴＰＣ情報を生成する。このようにして生成されたＴＰＣ情報は、図示しない送信系を通じて、無線基地局に向けて送信される。
【００２４】
以上のような構成により、従来の移動無線端末装置は、無線基地局側の送信電力を制御するためのＴＰＣ情報を送信し、これを受信した無線基地局は、上記ＴＰＣ情報に基づいて上記移動無線端末装置宛ての無線信号の電力レベルを制御することで、移動無線端末装置毎に常に送信電力を最小にできるので、収容するユーザ数をできるだけ多くすることができる。
【００２５】
しかしながら、従来の移動無線端末装置では、送信電力制御用基準値Ｒの更新周期が、第１の受信品質測定回路９０によるＳＩＲの測定周期よりも長くなることが避けられない。
【００２６】
このため、例えば図１３に示すように、時刻ｔ０より通信品質が改善され、当該移動無線端末装置宛ての無線信号の送信電力レベルを下げてよい状況になったとしても、送信電力制御用基準値Ｒの更新に時間がかかるので、適正な送信電力レベルに下げるには、ある程度の時間を要してしまう。
【００２７】
このように送信電力レベルを適正なレベルまで下げるのに時間がかかってしまうと、その間、他の移動無線端末装置の通信にとっては干渉波として悪影響を及ぼすことになり、システムとしてはユーザ収容数を圧迫することになる。
【００２８】
また通信環境が悪いなどして一時的に送信電力を上げる必要が頻発する場合には、無線基地局からの送信電力レベルが不必要に高い状態が継続してしまうことになり、より深刻な問題となる。
【００２９】
【発明が解決しようとする課題】
従来の移動無線端末装置では、通信品質の改善により当該移動無線端末装置宛ての無線信号の送信電力レベルを下げてよい状況になったとしても、適正な送信電力レベルに下げるには、ある程度の時間を要してしまうため、他の移動無線端末装置の通信に干渉波として悪影響を及ぼし、ユーザ収容数を圧迫するという問題があった。
【００３０】
この発明は上記の問題を解決すべくなされたもので、通信品質の改善により当該移動無線端末装置宛ての無線信号の送信電力レベルを下げてよい状況になった場合には、迅速に適正な送信電力レベルまで下げることが可能な移動無線端末装置を提供することを目的とする。
【００３１】
【課題を解決するための手段】
上記の目的を達成するために、この発明は、ＣＤＭＡ方式の移動通信システムで用いられ、基地局の送信電力を制御するための制御情報を送信する移動無線端末装置において、復号前の受信信号から第１の受信品質を検出する第１の受信品質検出手段と、復号によって得た受信データから第２の受信品質を検出する第２の受信品質検出手段と、この第２の受信品質検出手段が求めた第２の受信品質に基づき、所定の範囲内で基準値を決定するものであって、ハンドオフを実施する必要が生じた場合には、基準値を前記範囲内の最大値よりも小さい予め設定された既定値に決定する基準値決定手段と、この基準値決定手段が決定した基準値と、第１の受信品質検出手段が求めた第１の受信品質と比較し、第１の受信品質が基準値より大きい場合には、送信電力を下げるように求める制御情報を生成し、一方、第１の受信品質が基準値より小さい場合には、送信電力を上げるように求める制御情報を生成する制御情報生成手段とを具備して構成するようにした。
【００３２】
上記構成の移動無線端末装置では、第２の受信品質検出手段が求めた第２の受信品質に基づいて所定の範囲内で基準値を決定し、特にハンドオフを実施する必要が生じた場合には、基準値を上記範囲内の最大値よりも予め小さく設定された既定値に決定し、この基準値と第１の受信品質検出手段が求めた第１の受信品質との比較結果に応じた制御情報を生成するようにしている。
【００３３】
したがって、上記構成の移動無線端末装置によれば、ハンドオフを実施する必要が生じた場合には、基準値が予め小さく設定された既定値に決定されるので、ソフトハンドオフを実施する必要が生じていない場合に比べて、基地局に対する送信電力レベルの要求量を低くすることができ、これによりソフトハンドオフを実施する場合における不要な送信電力レベルの増大を抑制でき、迅速に適正なレベルまで下げることができる。
【００３４】
また、この発明は、ＣＤＭＡ方式の移動通信システムで用いられ、基地局の送信電力を制御するための制御情報を送信する移動無線端末装置において、復号前の受信信号から第１の受信品質を検出する第１の受信品質検出手段と、復号によって得た受信データから第２の受信品質を検出する第２の受信品質検出手段と、この第２の受信品質検出手段が求めた第２の受信品質に基づいて基準値を決定するものであって、ハンドオフを実施する必要が生じた場合には、第１の受信品質検出手段が求めた第１の受信品質に基づいて基準値を決定する基準値決定手段と、この基準値決定手段が決定した基準値と、第１の受信品質検出手段が求めた第１の受信品質と比較し、第１の受信品質が基準値より大きい場合には、送信電力を下げるように求める制御情報を生成し、一方、第１の受信品質が基準値より小さい場合には、送信電力を上げるように求める制御情報を生成する制御情報生成手段とを具備して構成するようにした。
【００３５】
上記構成の移動無線端末装置では、第２の受信品質検出手段が求めた第２の受信品質に基づいて基準値を決定し、特にハンドオフを実施する必要が生じた場合には、第１の受信品質検出手段が求めた第１の受信品質に基づいて基準値を決定し、この基準値と第１の受信品質検出手段が求めた第１の受信品質との比較結果に応じた制御情報を生成するようにしている。
【００３６】
すなわち、ハンドオフを実施する必要が生じた場合には、第２の受信品質検出手段よりもその検出周期を短くすることが可能な第１の受信品質検出手段が求めた受信品質に基づいて基準値が決定されるので、ソフトハンドオフを実施する必要が生じていない場合に比べて、迅速に受信品質に対応する基準値に基づいて送信電力レベルの要求量を決定することができる。
【００３７】
したがって、上記構成の移動無線端末装置によれば、第１の受信品質検出手段により高い受信品質が検出される場合には、基地局の送信電力レベルを低くするような基準値を迅速に設定することができ、これによりソフトハンドオフを実施する場合における不要な送信電力レベルの増大を抑制でき、迅速に適正なレベルまで下げることができる。
【００３８】
さらに、この発明は、ＣＤＭＡ方式の移動通信システムで用いられ、基地局の送信電力を制御するための制御情報を送信する移動無線端末装置において、復号前の受信信号から第１の受信品質を検出する第１の受信品質検出手段と、復号によって得た受信データから第２の受信品質を検出する第２の受信品質検出手段と、この第２の受信品質検出手段が求めた第２の受信品質に基づいて、所定の制御幅を単位として段階的な基準値を決定する基準値決定手段と、ハンドオフを実施する必要が生じたか否かに応じて、制御幅を可変する制御幅可変手段と、この基準値決定手段が決定した基準値と、第１の受信品質検出手段が求めた第１の受信品質との比較結果に応じて、制御情報を生成する制御情報生成手段とを具備して構成するようにした。
【００３９】
上記構成の移動無線端末装置では、第２の受信品質検出手段が求めた第２の受信品質に基づいて、所定の制御幅を単位として段階的な基準値を決定し、ハンドオフを実施する必要が生じたか否かに応じて、上記制御幅を可変するようにしている。
【００４０】
したがって、上記構成の移動無線端末装置によれば、ハンドオフを実施する必要が生じた場合に、例えば上記制御幅を大きく設定することで、ソフトハンドオフの実施に伴って改善される受信品質が顕著に基準値に反映されることになる。
【００４１】
このため、基地局に対する送信電力レベルの要求量を低くする際には、これを速やかに制御情報に反映できるので、これによりソフトハンドオフを実施する場合における不要な送信電力レベルの増大を抑制でき、迅速に適正なレベルまで下げることができる。
【００４２】
【発明の実施の形態】
以下、図面を参照して、この発明の実施形態について説明する。
図１は、この発明の第１の実施形態に係わる移動無線端末装置の構成を示すものである。
【００４３】
移動通信システムのネットワークに収容される無線基地局から送信された無線信号は、アンテナを通じて図示しない周波数変換回路に入力され、ここで適切な帯域に制限されたベースバンド信号に変換された後、サーチャ１０およびフィンガ４１〜４ｎに入力される。
【００４４】
サーチャ１０は、種々のタイミングで生成した種々の拡散符号系列の拡散符号で上記ベースバンド信号を逆拡散して、上記ベースバンド信号と上記拡散符号との間の相関を求め、これより受信に適したパスを複数検出する。そして、この検出した複数のパスの情報（以下、パス情報と称する）を制御部２０ａに通知する。
【００４５】
制御部２０ａは、当該移動無線端末装置の各部を統括して制御するもので、各部を制御することにより、上記無線基地局装置との間に通信リンクを確立し、無線通信を実現する。
【００４６】
そして、上記無線通信を実現するための制御機能として、制御部２０ａは、サーチャ１０から通知されたパス情報に基づいて、拡散符号生成器３０に対して任意のタイミングで任意の拡散符号系列の拡散符号を生成させる制御機能を備えるとともに、新たな制御機能として、ハンドオフの必要性に応じて基準値生成部８０ａを切換制御する機能を備える。
【００４７】
拡散符号生成器３０は、制御部２０ａより指示されるタイミングで、制御部２０ａにより指示される拡散符号系列の拡散符号を生成する。
そして、拡散符号生成器３０は、生成した拡散符号を、制御部２０ａから指示されるフィンガ４１〜４ｎに出力する。
【００４８】
フィンガ４１〜４ｎは、互いに同じ構成からなり、同様の動作をするため、ここではフィンガ４１を例に挙げて説明する。
フィンガ４１は、相関器４１１と、遅延器（Ｄｅｌａｙ）４１２と、伝送路推定回路４１３と、複素乗算器４１４とを備える。
【００４９】
相関器４１１は、ベースバンド信号を、拡散符号生成器３０から入力される拡散符号を用いて逆拡散し、得られた信号を逆拡散信号として遅延器４１２および伝送路推定回路４１３に出力する。
遅延器４１２は、相関器４１１から入力される逆拡散信号を一定時間遅延させて、複素乗算器４１４に出力する。
【００５０】
伝送路推定回路４１３は、相関器４１１から入力される逆拡散信号について伝送路推定を行って、フェージング変動に起因する受信信号中の位相変動と振幅変動を推定し、この推定結果を複素乗算器４１４に出力する。
【００５１】
複素乗算器４１４は、遅延器４１２にて遅延した逆拡散信号に、伝送路推定回路４１３の推定結果を複素乗算して、フェージング変動に起因する位相変動と振幅変動を補正し、出力する。
このようにして、フィンガ４１〜４ｎより出力される逆拡散信号は、合成部５０および第１の受信品質測定回路９０ａに出力される。
【００５２】
合成部５０は、フィンガ４１〜４ｎから出力される逆拡散信号をＲＡＫＥ合成するもので、合成した信号を復号部６０に出力する。なお、逆拡散信号を合成するタイミングは、制御部２０ａから指示される。
【００５３】
復号部６０は、合成部５０にてＲＡＫＥ合成された逆拡散信号を同期検波し、デ・インタリーブを行い、ターボ復号およびビタビ復号などの復号処理を実施して受信データを得るとともに、この受信データについてＣＲＣチェックを行う。
【００５４】
上記復号処理によって得られた受信データは、後段のデータ処理部（図示しない）に出力され、ＣＲＣチェックの結果は、第２の受信品質測定回路７０に出力される。
【００５５】
第２の受信品質測定回路７０は、復号部６０にて得られたＣＲＣチェックの結果に基づいて、受信データの誤り率から受信品質を測定する。この測定結果は、基準値生成部８０ａに出力される。
【００５６】
基準値生成部８０ａは、第１基準値生成回路８１ａと、第２基準値生成回路８２ａと、選択回路８３とを備える。
第１基準値生成回路８１ａは、第２の受信品質測定回路７０の測定結果に基づいて、送信電力制御用基準値Ｒ１を決定する。この送信電力制御用基準値Ｒ１は、選択回路８３に出力される。
【００５７】
第２基準値生成回路８２ａは、予め設定された送信電力制御用基準値Ｒ２を選択回路８３に出力する。なお、基準値Ｒ２は、基準値Ｒ１の最小値より低い値に設定される。
【００５８】
選択回路８３は、制御部２０ａによって切換制御され、第１基準値生成回路８１ａより入力される基準値Ｒ１と、第２基準値生成回路８２ａより入力される基準値Ｒ２のうち、いずれか一方を送信電力制御用基準値Ｒとして選択的に比較回路１００に出力する。
【００５９】
第１の受信品質測定回路９０ａは、フィンガ４１〜４ｎから出力される逆拡散信号、各々についてＳＩＲを測定し、これらの測定結果を比較回路１００に出力する。
【００６０】
比較回路１００は、図２に示すように、基準値生成部８０ａにて決定した基準値Ｒに対する、第１の受信品質測定回路９０ａの測定結果の分布を判定し、この判定結果に応じて、送信電力制御情報を生成する。
【００６１】
なお、ここで比較回路１００は、第１の受信品質測定回路９０ａの測定結果が、例えば図３に示すように、送信電力制御用基準値Ｒに対して、小さい値として分布するものが多い場合には、基地局側送信電力の増大させるための送信電力制御情報を生成し、反対に、図４に示すように、送信電力制御用基準値Ｒに対して、大きい値として分布するものが多い場合には、無線基地局側の送信電力の減少させるための送信電力制御情報を生成する。
【００６２】
下りＴＰＣ情報生成部１１０は、比較回路１００にて生成された送信電力制御情報に基づいて、ＴＰＣ情報を生成する。このようにして生成されたＴＰＣ情報は、図示しない送信系を通じて、無線基地局に向けて送信される。
【００６３】
次に、上記構成の移動無線端末装置の動作について説明する。ここでは、送信電力制御に関わる動作について説明する。図５は、この動作を説明するためのフローチャートで、制御部２０ａの制御動作を示している。このフローチャートに示される処理は、当該移動無線端末装置が無線基地局と無線リンクを確立するとともに開始され、上記無線リンクが切断されるまで実施される。
【００６４】
まず、ステップ５ａにおいて制御部２０ａは、選択回路８３を切換制御して、第１基準値生成回路８１ａより入力される基準値Ｒ１を、基準値Ｒとして比較回路１００に出力させ、ステップ５ｂに移行する。
【００６５】
これにより、比較回路１００は、基準値Ｒ１を基準として、第１の受信品質測定回路９０ａの測定結果の分布を判定し、この判定結果に応じて、送信電力制御情報を生成する。またこれに伴って下りＴＰＣ情報生成部１１０は、上記送信電力制御情報に基づいてＴＰＣ情報を生成する。
【００６６】
ステップ５ｂにおいて制御部２０ａは、ソフトハンドオフを実施するために、フィンガ４１〜４ｎのいずれかに、新たなパス割り当てる必要が生じたか否かを判定する。
【００６７】
ここで、ソフトハンドオフを実施する必要が生じた場合には、制御部２０ｂはソフトハンドオフを実施するとともに、ステップ５ｃに移行し、一方、ソフトハンドオフを実施する必要が生じていない場合には、ステップ５ｂに戻り、継続して上記必要の発生を待機する。
【００６８】
なお、ここで、上記必要の発生を待機する場合、待機中に比較回路１００は、前述したように、基準値Ｒ１を基準として第１の受信品質測定回路９０ａの測定結果の分布を判定し、この判定結果に応じて送信電力制御情報を生成する。またこれに伴って下りＴＰＣ情報生成部１１０は、上記送信電力制御情報に基づいてＴＰＣ情報を生成する。
【００６９】
ステップ５ｃにおいて制御部２０ａは、選択回路８３を切換制御して、第２基準値生成回路８２ａより入力される基準値Ｒ２を、基準値Ｒとして比較回路１００に出力させ、ステップ５ｄに移行する。
【００７０】
これにより、比較回路１００は、基準値Ｒ２を基準として、第１の受信品質測定回路９０ａの測定結果の分布を判定し、この判定結果に応じて、送信電力制御情報を生成する。またこれに伴って下りＴＰＣ情報生成部１１０は、上記送信電力制御情報に基づいてＴＰＣ情報を生成する。
【００７１】
ステップ５ｄにおいて制御部２０ａは、ステップ５ｂで検出したソフトハンドオフが完了したか否かを判定する。
ここで、ソフトハンドオフが完了した場合には、ステップ５ａに移行し、一方、ソフトハンドオフが完了していない場合には、ステップ５ｄに戻り、ソフトハンドオフの完了を待機する。
【００７２】
なお、ここで、上記完了を待機する場合、待機中に比較回路１００は、前述したように、基準値Ｒ２を基準として第１の受信品質測定回路９０ｂの測定結果の分布を判定し、この判定結果に応じて送信電力制御情報を生成する。またこれに伴って下りＴＰＣ情報生成部１１０は、上記送信電力制御情報に基づいてＴＰＣ情報を生成する。
【００７３】
以上のように、上記構成の移動無線端末装置では、第２の受信品質測定回路７０の測定結果（受信データの誤り率）に基づいて送信電力制御用基準値Ｒ１を生成する第１基準値生成回路８１ａと、上記送信電力制御用基準値Ｒ１の最大値より低い値に予め設定された送信電力制御用基準値Ｒ２を生成する第２基準値生成回路８２ａとを備える。
【００７４】
そして、選択回路８３が、ソフトハンドオフを実施する必要が生じていない場合には、送信電力制御用基準値Ｒ１を比較回路１００に出力し、一方、ソフトハンドオフを実施する必要が生じた場合には、送信電力制御用基準値Ｒ２を比較回路１００に出力する。
【００７５】
そして、比較回路１００は、以上のようにして選択回路８３から出力される基準値に基づいて、第１の受信品質測定回路９０ａの測定結果の分布を判定し、この判定結果に応じて、送信電力制御情報を生成する。
【００７６】
すなわち、上記構成の移動無線端末装置では、ソフトハンドオフを実施する必要が生じていない場合には、受信データの誤り率に基づいて生成された基準値Ｒ１に基づいて、第１の受信品質測定回路９０ａの測定結果の分布を判定し、この判定結果に応じて、送信電力制御情報を生成する。
【００７７】
一方、ソフトハンドオフを実施する必要が生じた場合には、基準値Ｒ１の最大値より低い値に設定された基準値Ｒ２に基づいて、第１の受信品質測定回路９０ａの測定結果の分布を判定し、この判定結果に応じて、送信電力制御情報を生成するようにしている。
【００７８】
したがって、ソフトハンドオフを実施する必要が生じた場合に、従来方式では比較回路１００で判定に用いられる基準値が大きい値に制御されていたのに対して、上記構成の移動無線端末装置によれば、ソフトハンドオフを実施する必要が生じた場合に、上記基準値がソフトハンドオフを実施するのに必要な分だけ増加させることができる。
【００７９】
このため、ＴＰＣ情報により無線基地局に対して要求する送信電力レベルは、例えば図６に示すように、ソフトハンドオフを実施する必要が生じていない場合にはＬ１（破線）で示すように変化するのに対して、同一条件下においてソフトハンドオフを実施する必要が生じた場合にはＬ２（実線）で示すように、基準値Ｒ２を超えないように変化する。
【００８０】
すなわち、ソフトハンドオフを実施する必要が生じていない場合に比べてソフトハンドオフを実施する場合には、上記送信電力レベルの要求量を低くすることができ、これによりソフトハンドオフを実施する場合における不要な送信電力レベルの増大を抑制でき、迅速に適正なレベルまで下げることができる。
【００８１】
尚、この発明は上記実施の形態に限定されるものではない。
例えば、上記実施の形態では、ステップ５ｄにおいて、ソフトハンドオフが完了した場合にステップ５ａに移行して基準値をＲ１とするようにしたが、これに代わって例えば、ソフトハンドオフの開始から所定時間が経過した場合にステップ５ａに移行するようにしても同様の効果が得られる。
【００８２】
また、上記実施の形態では、ステップ５ｂでは、ソフトハンドオフを実施する必要が生じたか否かを判定するようにしたが、これに代わって例えば、ソフトハンドオフを実施したか否かを判定するようにしてもよい。
【００８３】
次に、この発明の第２の実施形態に係わる移動無線端末装置について説明する。図７は、その構成を示すものである。
移動通信システムのネットワークに収容される無線基地局から送信された無線信号は、アンテナを通じて図示しない周波数変換回路に入力され、ここで適切な帯域に制限されたベースバンド信号に変換された後、サーチャ１０およびフィンガ４１〜４ｎに入力される。
【００８４】
サーチャ１０は、種々のタイミングで生成した種々の拡散符号系列の拡散符号で上記ベースバンド信号を逆拡散して、上記ベースバンド信号と上記拡散符号との間の相関を求め、これより受信に適したパスを複数検出する。そして、この検出した複数のパスの情報（以下、パス情報と称する）を制御部２０ｂに通知する。
【００８５】
制御部２０ｂは、当該移動無線端末装置の各部を統括して制御するもので、各部を制御することにより、上記無線基地局装置との間に通信リンクを確立し、無線通信を実現する。
【００８６】
そして、上記無線通信を実現するための制御機能として、制御部２０ｂは、サーチャ１０から通知されたパス情報に基づいて、拡散符号生成器３０に対して任意のタイミングで任意の拡散符号系列の拡散符号を生成させる制御機能を備えるとともに、新たな制御機能として、ハンドオフの必要性と、後述する第１の受信品質測定回路９０ｂにて求めたＳＩＲに応じて、基準値生成部８０ｂを切換制御する機能を備える。
【００８７】
拡散符号生成器３０は、制御部２０ｂより指示されるタイミングで、制御部２０ｂにより指示される拡散符号系列の拡散符号を生成する。
そして、拡散符号生成器３０は、生成した拡散符号を、制御部２０ｂから指示されるフィンガ４１〜４ｎに出力する。
【００８８】
フィンガ４１〜４ｎは、互いに同じ構成からなり、同様の動作をするため、ここではフィンガ４１を例に挙げて説明する。
フィンガ４１は、相関器４１１と、遅延器（Ｄｅｌａｙ）４１２と、伝送路推定回路４１３と、複素乗算器４１４とを備える。
【００８９】
相関器４１１は、ベースバンド信号を、拡散符号生成器３０から入力される拡散符号を用いて逆拡散し、得られた信号を逆拡散信号として遅延器４１２および伝送路推定回路４１３に出力する。
遅延器４１２は、相関器４１１から入力される逆拡散信号を一定時間遅延させて、複素乗算器４１４に出力する。
【００９０】
伝送路推定回路４１３は、相関器４１１から入力される逆拡散信号について伝送路推定を行って、フェージング変動に起因する受信信号中の位相変動と振幅変動を推定し、この推定結果を複素乗算器４１４に出力する。
【００９１】
複素乗算器４１４は、遅延器４１２にて遅延した逆拡散信号に、伝送路推定回路４１３の推定結果を複素乗算して、フェージング変動に起因する位相変動と振幅変動を補正し、出力する。
このようにして、フィンガ４１〜４ｎより出力される逆拡散信号は、合成部５０および第１の受信品質測定回路９０ｂに出力される。
【００９２】
合成部５０は、フィンガ４１〜４ｎから出力される逆拡散信号をＲＡＫＥ合成するもので、合成した信号を復号部６０に出力する。なお、逆拡散信号を合成するタイミングは、制御部２０ｂから指示される。
【００９３】
復号部６０は、合成部５０にてＲＡＫＥ合成された逆拡散信号を同期検波し、デ・インタリーブを行い、ターボ復号およびビタビ復号などの復号処理を実施して受信データを得るとともに、この受信データについてＣＲＣチェックを行う。
【００９４】
上記復号処理によって得られた受信データは、後段のデータ処理部（図示しない）に出力され、ＣＲＣチェックの結果は、第２の受信品質測定回路７０に出力される。
【００９５】
第２の受信品質測定回路７０は、復号部６０にて得られたＣＲＣチェックの結果に基づいて、受信データの誤り率から受信品質を測定する。この測定結果は、基準値生成部８０ｂに出力される。
【００９６】
基準値生成部８０ｂは、第１基準値生成回路８１ｂと、第２基準値生成回路８２ｂと、選択回路８３とを備える。
第１基準値生成回路８１ｂは、第２の受信品質測定回路７０の測定結果に基づいて、送信電力制御用基準値Ｒ１を決定する。この送信電力制御用基準値Ｒ１は、選択回路８３に出力される。
【００９７】
第２基準値生成回路８２ｂは、後述する第１の受信品質測定回路９０ｂの測定結果に基づいて、送信電力制御用基準値Ｒ２を決定する。この送信電力制御用基準値Ｒ２は、選択回路８３に出力される。
【００９８】
選択回路８３は、制御部２０ｂによって切換制御され、第１基準値生成回路８１ｂより入力される基準値Ｒ１と、第２基準値生成回路８２ｂより入力される基準値Ｒ２のうち、いずれか一方を送信電力制御用基準値Ｒとして選択的に比較回路１００に出力する。
【００９９】
第１の受信品質測定回路９０ｂは、フィンガ４１〜４ｎから出力される逆拡散信号、各々についてＳＩＲを測定し、これらの測定結果を制御部２０ｂと第２基準値生成回路８２ｂと比較回路１００とに出力する。
【０１００】
比較回路１００は、図２に示すように、基準値生成部８０ｂにて決定した基準値Ｒに対する、第１の受信品質測定回路９０ｂの測定結果の分布を判定し、この判定結果に応じて、送信電力制御情報を生成する。
【０１０１】
なお、ここで比較回路１００は、第１の受信品質測定回路９０ｂの測定結果が、例えば図３に示すように、送信電力制御用基準値Ｒに対して、小さい値として分布するものが多い場合には、基地局側送信電力の増大させるための送信電力制御情報を生成し、反対に、図４に示すように、送信電力制御用基準値Ｒに対して、大きい値として分布するものが多い場合には、無線基地局側の送信電力の減少させるための送信電力制御情報を生成する。
【０１０２】
下りＴＰＣ情報生成部１１０は、比較回路１００にて生成された送信電力制御情報に基づいて、ＴＰＣ情報を生成する。このようにして生成されたＴＰＣ情報は、図示しない送信系を通じて、無線基地局に向けて送信される。
【０１０３】
次に、上記構成の移動無線端末装置の動作について説明する。ここでは、送信電力制御に関わる動作について説明する。図８は、この動作を説明するためのフローチャートで、制御部２０ｂの制御動作を示している。このフローチャートに示される処理は、当該移動無線端末装置が無線基地局と無線リンクを確立するとともに開始され、上記無線リンクが切断されるまで実施される。
【０１０４】
まず、ステップ８ａにおいて制御部２０ｂは、選択回路８３を切換制御して、第１基準値生成回路８１ｂより入力される基準値Ｒ１を、基準値Ｒとして比較回路１００に出力させ、ステップ８ｂに移行する。
【０１０５】
これにより、比較回路１００は、基準値Ｒ１を基準として、第１の受信品質測定回路９０ｂの測定結果の分布を判定し、この判定結果に応じて、送信電力制御情報を生成する。
【０１０６】
すなわち、下りＴＰＣ情報生成部１１０は、第２の受信品質測定回路７０が測定した受信品質に基づいて生成された基準値Ｒ１と、第１の受信品質測定回路９０ｂが測定したＳＩＲとを比較した結果に基づいてＴＰＣ情報を生成する。
【０１０７】
ステップ８ｂにおいて制御部２０ｂは、ソフトハンドオフを実施するために、フィンガ４１〜４ｎのいずれかに、新たなパス割り当てる必要が生じたか否かを判定する。
【０１０８】
ここで、ソフトハンドオフを実施する必要が生じた場合には、制御部２０ｂはソフトハンドオフを実施するとともに、ステップ８ｃに移行し、一方、ソフトハンドオフを実施する必要が生じていない場合には、ステップ８ｂに戻り、継続して上記必要の発生を待機する。
【０１０９】
なお、ここで、上記必要の発生を待機する場合、待機中に比較回路１００は、前述したように、基準値Ｒ１を基準として第１の受信品質測定回路９０ｂの測定結果の分布を判定し、この判定結果に応じて送信電力制御情報を生成する。またこれに伴って下りＴＰＣ情報生成部１１０は、上記送信電力制御情報に基づいてＴＰＣ情報を生成する。
【０１１０】
ステップ８ｃにおいて制御部２０ｂは、選択回路８３を切換制御して、第２基準値生成回路８２ｂより入力される基準値Ｒ２を、基準値Ｒとして比較回路１００に出力させ、ステップ８ｄに移行する。
【０１１１】
これにより、比較回路１００は、基準値Ｒ２を基準として、第１の受信品質測定回路９０ｂの測定結果の分布を判定し、この判定結果に応じて、送信電力制御情報を生成する。またこれに伴って下りＴＰＣ情報生成部１１０は、上記送信電力制御情報に基づいてＴＰＣ情報を生成する。
【０１１２】
すなわち、下りＴＰＣ情報生成部１１０は、第１の受信品質測定回路９０ｂが測定したＳＩＲに基づいて生成された基準値Ｒ２と、第１の受信品質測定回路９０ｂが測定したＳＩＲとを比較した結果に基づいてＴＰＣ情報を生成する。
なお、上記基準値Ｒ２は、過去の所定時間内の第１の受信品質測定回路９０ｂの出力を平均化演算したものである。
【０１１３】
ステップ８ｄにおいて制御部２０ｂは、第１の受信品質測定回路９０ｂにて測定されたＳＩＲが予め設定した閾値以上か否かを判定する。
ここで、ＳＩＲが予め設定した閾値以上の場合には、ステップ８ａに移行し、一方、ＳＩＲが予め設定した閾値未満の場合には、ステップ８ｄに戻り、ＳＩＲが予め設定した閾値以上となるのを待機する。
【０１１４】
なお、ここで、ＳＩＲが予め設定した閾値以上となるのを待機する場合、待機中に比較回路１００は、前述したように、基準値Ｒ２を基準として第１の受信品質測定回路９０ｂの測定結果の分布を判定し、この判定結果に応じて送信電力制御情報を生成する。またこれに伴って下りＴＰＣ情報生成部１１０は、上記送信電力制御情報に基づいてＴＰＣ情報を生成する。
【０１１５】
以上のように、上記構成の移動無線端末装置では、第２の受信品質測定回路７０の測定結果（受信データの誤り率）に基づいて送信電力制御用基準値Ｒ１を生成する第１基準値生成回路８１ｂと、第１の受信品質測定回路９０ｂの測定結果（ＳＩＲ）に基づいて送信電力制御用基準値Ｒ２を生成する第２基準値生成回路８２ｂとを備える。
【０１１６】
そして、選択回路８３は、ソフトハンドオフを実施する必要が生じない場合や、第１の受信品質測定回路９０ｂの測定結果が予め設定した閾値以上の場合には、送信電力制御用基準値Ｒ１を比較回路１００に出力し、一方、ソフトハンドオフを実施する必要が生じ、かつ第１の受信品質測定回路９０ｂが測定したＳＩＲが予め設定した閾値未満の場合には、送信電力制御用基準値Ｒ２を比較回路１００に出力する。
【０１１７】
そして、比較回路１００は、以上のようにして選択回路８３から出力される基準値に基づいて、第１の受信品質測定回路９０ｂの測定結果の分布を判定し、この判定結果に応じて、送信電力制御情報を生成する。
【０１１８】
すなわち、上記構成の移動無線端末装置では、ソフトハンドオフを実施する必要が生じていない場合や測定したＳＩＲが予め設定した閾値以上の場合には、受信データの誤り率に基づいて生成された基準値Ｒ１に基づいて、測定したＳＩＲの分布を判定し、この判定結果に応じて、送信電力制御情報を生成する。
【０１１９】
一方、ソフトハンドオフを実施する必要が生じ、かつ測定したＳＩＲが予め設定した閾値未満の場合には、上記ＳＩＲに基づいて生成された基準値Ｒ１に基づいて、上記ＳＩＲの分布を判定し、この判定結果に応じて、送信電力制御情報を生成するようにしている。
【０１２０】
したがって、上記構成の移動無線端末装置によれば、受信データの誤り率の検出周期よりもＳＩＲの測定周期の方が短いので、ソフトハンドオフを実施する必要が生じ、かつＳＩＲが予め設定した閾値未満の場合には、ソフトハンドオフを実施する必要が生じていない場合に比べて、受信品質に応じた変動が早い基準値に基づいてＴＰＣ情報を生成することになる。
【０１２１】
このため、ＴＰＣ情報により無線基地局に対して要求する送信電力レベルは、例えば図９に示すように、ソフトハンドオフを実施する必要が生じていない場合やＳＩＲが予め設定した閾値以上の場合にはＬ１（破線）で示すように変化するのに対して、同一条件下においてソフトハンドオフを実施する必要が生じ、かつＳＩＲが予め設定した閾値未満の場合にはＬ２（実線）で示すように変化する。
【０１２２】
すなわち、ソフトハンドオフを実施する必要が生じていない場合やＳＩＲが予め設定した閾値以上の場合に比べてソフトハンドオフを実施する場合には、上記送信電力レベルの要求量を迅速に低くすることができ、これによりソフトハンドオフを実施する場合における不要な送信電力レベルの増大を抑制でき、迅速に適正なレベルまで下げることができる。
【０１２３】
尚、この発明は上記実施の形態に限定されるものではない。
上記第１の実施の形態および第２の実施形態では、それぞれ基準値を生成する構成を２つずつ備える（８１ａおよび８２ａ、あるいは８１ｂおよび８２ｂ）ものとした。
【０１２４】
これに対して例えば、基準値を生成する構成を１つにし、ここで生成される基準値を制御部（２０ａあるいは２０ｂ）が制御することで、上記第１の実施の形態および第２の実施形態で説明した構成と同様に動作させることも可能である。
【０１２５】
また、上記実施の形態では、ステップ８ｂでは、ソフトハンドオフを実施する必要が生じたか否かを判定するようにしたが、これに代わって例えば、ソフトハンドオフを実施したか否かを判定するようにしてもよい。
【０１２６】
次に、この発明の第３の実施形態に係わる移動無線端末装置について説明する。図１０は、その構成を示すものである。
移動通信システムのネットワークに収容される無線基地局から送信された無線信号は、アンテナを通じて図示しない周波数変換回路に入力され、ここで適切な帯域に制限されたベースバンド信号に変換された後、サーチャ１０およびフィンガ４１〜４ｎに入力される。
【０１２７】
サーチャ１０は、種々のタイミングで生成した種々の拡散符号系列の拡散符号で上記ベースバンド信号を逆拡散して、上記ベースバンド信号と上記拡散符号との間の相関を求め、これより受信に適したパスを複数検出する。そして、この検出した複数のパスの情報（以下、パス情報と称する）を制御部２０ｃに通知する。
【０１２８】
制御部２０ｃは、当該移動無線端末装置の各部を統括して制御するもので、各部を制御することにより、上記無線基地局装置との間に通信リンクを確立し、無線通信を実現する。
【０１２９】
そして、上記無線通信を実現するための制御機能として、制御部２０ｃは、サーチャ１０から通知されたパス情報に基づいて、拡散符号生成器３０に対して任意のタイミングで任意の拡散符号系列の拡散符号を生成させる制御機能を備えるとともに、新たな制御機能として、ハンドオフの必要性に応じて、基準値生成部８０ｃで生成される基準値の制御幅を切換制御する機能を備える。
【０１３０】
拡散符号生成器３０は、制御部２０ｃより指示されるタイミングで、制御部２０ｃにより指示される拡散符号系列の拡散符号を生成する。
そして、拡散符号生成器３０は、生成した拡散符号を、制御部２０ｃから指示されるフィンガ４１〜４ｎに出力する。
【０１３１】
フィンガ４１〜４ｎは、互いに同じ構成からなり、同様の動作をするため、ここではフィンガ４１を例に挙げて説明する。
フィンガ４１は、相関器４１１と、遅延器（Ｄｅｌａｙ）４１２と、伝送路推定回路４１３と、複素乗算器４１４とを備える。
【０１３２】
相関器４１１は、ベースバンド信号を、拡散符号生成器３０から入力される拡散符号を用いて逆拡散し、得られた信号を逆拡散信号として遅延器４１２および伝送路推定回路４１３に出力する。
遅延器４１２は、相関器４１１から入力される逆拡散信号を一定時間遅延させて、複素乗算器４１４に出力する。
【０１３３】
伝送路推定回路４１３は、相関器４１１から入力される逆拡散信号について伝送路推定を行って、フェージング変動に起因する受信信号中の位相変動と振幅変動を推定し、この推定結果を複素乗算器４１４に出力する。
【０１３４】
複素乗算器４１４は、遅延器４１２にて遅延した逆拡散信号に、伝送路推定回路４１３の推定結果を複素乗算して、フェージング変動に起因する位相変動と振幅変動を補正し、出力する。
このようにして、フィンガ４１〜４ｎより出力される逆拡散信号は、合成部５０および第１の受信品質測定回路９０に出力される。
【０１３５】
合成部５０は、フィンガ４１〜４ｎから出力される逆拡散信号をＲＡＫＥ合成するもので、合成した信号を復号部６０に出力する。なお、逆拡散信号を合成するタイミングは、制御部２０ｃから指示される。
【０１３６】
復号部６０は、合成部５０にてＲＡＫＥ合成された逆拡散信号を同期検波し、デ・インタリーブを行い、ターボ復号およびビタビ復号などの復号処理を実施して受信データを得るとともに、この受信データについてＣＲＣチェックを行う。
【０１３７】
上記復号処理によって得られた受信データは、後段のデータ処理部（図示しない）に出力され、ＣＲＣチェックの結果は、第２の受信品質測定回路７０に出力される。
【０１３８】
第２の受信品質測定回路７０は、復号部６０にて得られたＣＲＣチェックの結果に基づいて、受信データの誤り率から受信品質を測定する。この測定結果は、基準値生成部８０ｃに出力される。
【０１３９】
基準値生成部８０ｃは、第２の受信品質測定回路７０の測定結果に基づいて、送信電力制御用基準値Ｒを決定する。この送信電力制御用基準値Ｒは、比較回路１００に出力される。
なお、送信電力制御用基準値Ｒは、制御部２０ｃによって決定される制御幅を単位とし、第２の受信品質測定回路７０の測定結果に応じて段階的な値となる。
【０１４０】
第１の受信品質測定回路９０は、フィンガ４１〜４ｎから出力される逆拡散信号、各々についてＳＩＲを測定し、これらの測定結果を比較回路１００に出力する。
【０１４１】
比較回路１００は、図２に示すように、基準値生成部８０ｃにて決定した基準値Ｒに対する、第１の受信品質測定回路９０の測定結果の分布を判定し、この判定結果に応じて、送信電力制御情報を生成する。
【０１４２】
なお、ここで比較回路１００は、第１の受信品質測定回路９０の測定結果が、例えば図３に示すように、送信電力制御用基準値Ｒに対して、小さい値として分布するものが多い場合には、基地局側送信電力の増大させるための送信電力制御情報を生成し、反対に、図４に示すように、送信電力制御用基準値Ｒに対して、大きい値として分布するものが多い場合には、無線基地局側の送信電力の減少させるための送信電力制御情報を生成する。
【０１４３】
下りＴＰＣ情報生成部１１０は、比較回路１００にて生成された送信電力制御情報に基づいて、ＴＰＣ情報を生成する。このようにして生成されたＴＰＣ情報は、図示しない送信系を通じて、無線基地局に向けて送信される。
【０１４４】
次に、上記構成の移動無線端末装置の動作について説明する。ここでは、送信電力制御に関わる動作について説明する。図１１は、この動作を説明するためのフローチャートで、制御部２０ｃの制御動作を示している。このフローチャートに示される処理は、当該移動無線端末装置が無線基地局と無線リンクを確立するとともに開始され、上記無線リンクが切断されるまで実施される。
【０１４５】
まず、ステップ１１ａにおいて制御部２０ｃは、基準値生成部８０ｃに対して、所定の制御幅Ｄ０を設定し、ステップ１１ｂに移行する。
これにより、基準値生成部８０ｃは、第２の受信品質測定回路７０の測定結果に応じて、上記制御幅Ｄ０単位で可変する送信電力制御用基準値Ｒを生成し、これを比較回路１００に出力する。
【０１４６】
これに対して、比較回路１００は、上記基準値Ｒを基準として、第１の受信品質測定回路９０の測定結果の分布を判定し、この判定結果に応じて、送信電力制御情報を生成する。
【０１４７】
ステップ１１ｂにおいて制御部２０ｃは、ソフトハンドオフを実施するために、フィンガ４１〜４ｎのいずれかに、新たなパス割り当てる必要が生じたか否かを判定する。
【０１４８】
ここで、ソフトハンドオフを実施する必要が生じた場合には、制御部２０ｃはソフトハンドオフを実施するとともに、ステップ１１ｃに移行し、一方、ソフトハンドオフを実施する必要が生じていない場合には、ステップ１１ｂに戻り、継続して上記必要の発生を待機する。
【０１４９】
なお、ここで、上記必要の発生を待機する場合、待機中に比較回路１００は、前述したように、制御幅Ｄ０単位で可変する基準値Ｒを基準として第１の受信品質測定回路９０の測定結果の分布を判定し、この判定結果に応じて送信電力制御情報を生成する。
【０１５０】
ステップ１１ｃにおいて制御部２０ｃは、基準値生成部８０ｃに対して、所定の制御幅Ｄ１を設定し、ステップ１１ｄに移行する。なお、制御幅Ｄ１は、制御幅Ｄ０より大きい値である。
【０１５１】
これにより、基準値生成部８０ｃは、第２の受信品質測定回路７０の測定結果に応じて、上記制御幅Ｄ１単位で可変する送信電力制御用基準値Ｒを生成し、これを比較回路１００に出力する。
【０１５２】
これに対して、比較回路１００は、上記基準値Ｒを基準として、第１の受信品質測定回路９０の測定結果の分布を判定し、この判定結果に応じて、送信電力制御情報を生成する。
【０１５３】
ステップ１１ｄにおいて制御部２０ｃは、ステップ１１ｂで検出したソフトハンドオフが完了したか否かを判定する。
ここで、ソフトハンドオフが完了した場合には、ステップ１１ａに移行し、一方、ソフトハンドオフが完了していない場合には、ステップ１１ｄに戻り、ソフトハンドオフの完了を待機する。
【０１５４】
なお、ここで、上記必要の発生を待機する場合、待機中に比較回路１００は、前述したように、制御幅Ｄ１単位で可変する基準値Ｒを基準として第１の受信品質測定回路９０の測定結果の分布を判定し、この判定結果に応じて送信電力制御情報を生成する。
【０１５５】
以上のように、上記構成の移動無線端末装置では、ソフトハンドオフを実施していない場合には、基準値生成部８０ｃが生成する送信電力制御用基準値Ｒを制御幅Ｄ０単位で可変するように制御し、一方、ソフトハンドオフの実施中は、基準値生成部８０ｃが生成する送信電力制御用基準値Ｒを制御幅Ｄ１（＞Ｄ０）単位で可変するように制御している。
【０１５６】
したがって、上記構成の移動無線端末装置によれば、ソフトハンドオフの実施中は、大きな制御幅Ｄ１で送信電力制御用基準値Ｒが制御されるので、ソフトハンドオフを実施する必要が生じていない場合に比べて、受信品質が顕著に反映される基準値に基づいてＴＰＣ情報を生成することになる。
【０１５７】
このため、ＴＰＣ情報により無線基地局に対して要求する送信電力レベルは、例えば図９に示すように、ソフトハンドオフを実施する必要が生じていない場合にはＬ１（破線）で示すように変化するのに対して、同一条件下においてソフトハンドオフを実施する必要が生じた場合にはＬ２（実線）で示すように変化する。
【０１５８】
すなわち、ソフトハンドオフを実施する必要が生じていない場合に比べてソフトハンドオフを実施する場合には、上記送信電力レベルの要求量を迅速に低くすることができ、これによりソフトハンドオフを実施する場合における不要な送信電力レベルの増大を抑制でき、迅速に適正なレベルまで下げることができる。
【０１５９】
尚、この発明は上記実施の形態に限定されるものではない。
例えば制御部２０ｃが、ソフトハンドオフを実施する場合に、大きな制御幅Ｄ１で送信電力制御用基準値Ｒを制御し、一方、第１の受信品質測定回路９０にて求めたＳＩＲが予め設定したレベルまで改善された場合に、小さな制御幅Ｄ０で送信電力制御用基準値Ｒを制御するようにしてもよい。
このような構成であっても、上記の実施形態と同様の効果を期待することができる。
【０１６０】
また、上記実施の形態では、ステップ１１ｂでは、ソフトハンドオフを実施する必要が生じたか否かを判定するようにしたが、これに代わって例えば、ソフトハンドオフを実施したか否かを判定するようにしてもよい。
その他、この発明の要旨を逸脱しない範囲で種々の変形を施しても同様に実施可能であることはいうまでもない。
【０１６１】
【発明の効果】
以上述べたように、この発明では、第２の受信品質検出手段が求めた第２の受信品質に基づいて所定の範囲内で基準値を決定し、特にハンドオフを実施する必要が生じた場合には、基準値を上記範囲内の最大値よりも予め小さく設定された既定値に決定し、この基準値と第１の受信品質検出手段が求めた第１の受信品質との比較結果に応じた制御情報を生成するようにしている。
【０１６２】
したがって、この発明によれば、ハンドオフを実施する必要が生じた場合には、基準値が予め小さく設定された既定値に決定されるので、ソフトハンドオフを実施する必要が生じていない場合に比べて、基地局に対する送信電力レベルの要求量を低くすることができ、これによりソフトハンドオフを実施する場合における不要な送信電力レベルの増大を抑制でき、迅速に適正なレベルまで下げることが可能な移動無線端末装置を提供できる。
【０１６３】
また、この発明では、第２の受信品質検出手段が求めた第２の受信品質に基づいて基準値を決定し、特にハンドオフを実施する必要が生じた場合には、第１の受信品質検出手段が求めた第１の受信品質に基づいて基準値を決定し、この基準値と第１の受信品質検出手段が求めた第１の受信品質との比較結果に応じた制御情報を生成するようにしている。
【０１６４】
すなわち、ハンドオフを実施する必要が生じた場合には、第２の受信品質検出手段よりもその検出周期を短くすることが可能な第１の受信品質検出手段が求めた受信品質に基づいて基準値が決定されるので、ソフトハンドオフを実施する必要が生じていない場合に比べて、迅速に受信品質に対応する基準値に基づいて送信電力レベルの要求量を決定することができる。
【０１６５】
したがって、この発明によれば、第１の受信品質検出手段により高い受信品質が検出される場合には、基地局の送信電力レベルを低くするような基準値を迅速に設定することができ、これによりソフトハンドオフを実施する場合における不要な送信電力レベルの増大を抑制でき、迅速に適正なレベルまで下げることが可能な移動無線端末装置を提供できる。
【０１６６】
さらに、この発明では、第２の受信品質検出手段が求めた第２の受信品質に基づいて、所定の制御幅を単位として段階的な基準値を決定し、ハンドオフを実施する必要が生じたか否かに応じて、上記制御幅を可変するようにしている。
【０１６７】
したがって、この発明によれば、ハンドオフを実施する必要が生じた場合に、例えば上記制御幅を大きく設定することで、ソフトハンドオフの実施に伴って改善される受信品質が顕著に基準値に反映されることになる。
【０１６８】
このため、基地局に対する送信電力レベルの要求量を低くする際には、これを速やかに制御情報に反映できるので、これによりソフトハンドオフを実施する場合における不要な送信電力レベルの増大を抑制でき、迅速に適正なレベルまで下げることが可能な移動無線端末装置を提供できる。
【図面の簡単な説明】
【図１】この発明に係わる移動無線端末装置の第１の実施の形態の構成を示す回路ブロック図。
【図２】図１に示した移動無線端末装置の比較回路の動作を説明するための図。
【図３】図１に示した移動無線端末装置の比較回路の動作を説明するための図。
【図４】図１に示した移動無線端末装置の比較回路の動作を説明するための図。
【図５】図１に示した移動無線端末装置の基準値生成回路に対する制御動作を説明するためのフローチャート。
【図６】図１に示した移動無線端末装置により基地局に対して要求される送信電力レベルの変化の一例を示す図。
【図７】この発明に係わる移動無線端末装置の第２の実施の形態の構成を示す回路ブロック図。
【図８】図７に示した移動無線端末装置の基準値生成回路に対する制御動作を説明するためのフローチャート。
【図９】図７に示した移動無線端末装置により基地局に対して要求される送信電力レベルの変化の一例を示す図。
【図１０】この発明に係わる移動無線端末装置の第３の実施の形態の構成を示す回路ブロック図。
【図１１】図１０に示した移動無線端末装置の基準値生成回路に対する制御動作を説明するためのフローチャート。
【図１２】従来の移動無線端末装置の構成を示す回路ブロック図。
【符号の説明】
１０…サーチャ
２０ａ，２０ｂ，２０ｃ…制御部
３０…拡散符号生成器
４１〜４ｎ…フィンガ
４１１…相関器
４１２…遅延器（Ｄｅｌａｙ）
４１３…伝送路推定回路
４１４…複素乗算器
５０…合成部
６０…復号部
７０…第２の受信品質測定回路
８０ａ，８０ｂ，８０ｃ…基準値生成部
８１ａ，８２ａ…第１基準値生成回路
８１ｂ，８２ｂ…第２基準値生成回路
８３…選択回路
９０，９０ａ，９０ｂ…第１の受信品質測定回路
１００…比較回路
１１０…下りＴＰＣ情報生成部
【図１】
2004088692.tif 000003
【図２】
2004088692.tif 000004
【図３】
2004088692.tif 000005
【図４】
2004088692.tif 000006
【図５】
2004088692.tif 000007
【図６】
2004088692.tif 000008
【図７】
2004088692.tif 000009
【図８】
2004088692.tif 000010
【図９】
2004088692.tif 000011
【図１０】
2004088692.tif 000012
【図１１】
2004088692.tif 000013
【図１２】
2004088692.tif 000014